(57)【特許請求の範囲】
【請求項１】
用紙装填部に装填された用紙の束における最上部の用紙に圧接し、用紙の束に対して給紙方向の搬送力を作用させるピックアップ手段と、このピックアップ手段に対して前記給紙方向下流側の分離位置に設けられ、前記ピックアップ手段からの搬送力により給紙方向に移動しようとする１枚乃至複数枚の用紙からピックアップ手段が接する１枚の用紙のみを分離し、残りの用紙を前記用紙装填部に保持する分離手段と、この分離手段により分離され前記分離位置から送り出されてきた１枚の用紙を挾持し、この１枚の用紙を搬送路に沿って搬送する搬送ローラ対とを備えた給紙装置において、
薄板状の弾性材料により形成され、前記搬送ローラ対による用紙の挾持位置より回転方向の上流位置で、搬送ローラ対の何れか一方のローラのローラ面に圧接するスキュー修正部材を設け、
前記スキュー修正部材及び前記一方のローラが、前記分離位置から送り出されてきた用紙の先端部に、前記搬送ローラ対による搬送方向に対して直交した線上に分布する搬送抵抗を作用させ、
さらに、前記一方のローラの両側方に、一方のローラの回転軸により支持された一対の円筒コロをそれぞれ配置するとともに、この一対の円筒コロに、前記スキュー修正部材をそれぞれ圧接させ、
前記スキュー修正部材及び前記円筒コロが、前記分離位置から送り出されてきた用紙の先端コーナ部に、前記搬送方向に対して直交した線上に分布する搬送抵抗を作用させることを特徴とする給紙装置。
【請求項２】
前記スキュー修正部材が取り付けられる取付部材におけるスキュー修正部材取付部分に、用紙先端を円滑に移動させるための薄いフィルム体を設置したことを特徴とする請求項１記載の給紙装置。
【請求項３】
前記一対の円筒コロを、それぞれ前記一方のローラの回転軸により回動自在に支持したことを特徴とする請求項１記載の給紙装置。
【発明の詳細な説明】
【０００１】
【発明の属する技術分野】
本発明は、複写機、ファクシミリ装置、スキャナ装置等において原稿装填部に装填された記録紙等の用紙の束から１枚ずつ用紙を分離し、この１枚の用紙を搬送路に沿って搬送する給紙装置に関する。
【０００２】
【従来の技術】
従来、複写機等に適用される給紙装置としては、例えば、コーナ爪方式を用いたものがある。このようなコーナ爪方式を用いた給紙装置は、装置本体に着脱可能に装着される給紙カセット，この給紙カセット内の底部で揺動可能に支持された底板，この底板を上方に付勢する弾性部材，給紙カセット内に配置され少なくとも一方が紙幅方向で移動可能に支持された一対のサイドフェンス、これらのサイドフェンスによりそれぞれ揺動可能に支持された一対の分離爪，装置本体に配置されたピックアップローラ等を備えている。
【０００３】
上記構成の給紙装置では、給紙カセットに装填された記録紙は底板上に載置され、底板により上方に付勢される。この際、一対のサイドフェンスは、記録紙を紙幅方向において所定の位置に位置決めし、一対の分離爪は、底板により上方に付勢された記録紙の先端両コーナ部をそれぞれ掛止し、記録紙を高さ方向において所定の位置に位置決めする。また、非円形のピックアップローラは、非分離給紙時には給紙カセット内の記録紙から離間した待機位置に保持されているが、分離給紙の開始とともに給紙方向に回転し、底板により上方に付勢された記録紙にローラ面を圧接させる。
【０００４】
このことにより、最上部の記録紙には給紙方向の力（搬送力）が作用するとともに、記録紙間の摩擦力により最上部の記録紙の下部に積載された記録紙にも給紙方向の搬送力が伝達される。この搬送力により最上部の記録紙を含む１枚乃至複数枚の記録紙が給紙方向に移動しようとするが、記録紙の先端両コーナ部が分離爪により掛止されていることから、最大の搬送力を受ける最上部の１枚の記録紙のみが分離爪を乗り越えて外部に搬送され、残りの記録紙が給紙カセット内に保持される。給紙カセット内から外部に送り出された記録紙は、先端部が搬送ローラ対のニップ部に挿入されることより、搬送ローラ対により挾持されて搬送路に沿って搬送される。
【０００５】
【発明が解決しようとする課題】
上記のようなコーナ爪方式を採用した給紙装置では、ピックアップローラの記録紙に対する圧接力の分布が紙幅方向で不均一な場合や、一対の分離爪による記録紙に対する掛止力がアンバランスな場合には、給紙カセット内から外部に搬送される記録紙が、ピックアップローラによる給紙方向に対して傾斜するスキューが発生しやすくなる。スキューが発生した場合には、記録紙が搬送ローラ対による搬送方向に対して傾斜した状態で搬送されるため、搬送時に無理な力が加えられて記録紙にシワが発生したり、搬送途中にジャムが発生しやすくなるなどの問題が生じる。さらに、記録紙が傾斜したままで画像記録部に搬送されると、画像が記録紙における所定の記録領域に正しく形成されずに記録紙に対して画像が傾いたり、画像のコーナ部が記録紙からはみ出してしまう。
【０００６】
スキューが発生した場合の問題を解決するため、複写機等の画像形成装置では、通常、搬送路において画像記録部の手前にレジストローラ対を設け、このレジストローラ対のニップ部に記録紙の先端を突き当て、ニップ部により記録紙の傾斜を修正するとともに記録紙の先端を所定の位置に位置決めした後、画像記録部による画像形成に同期させてレジストローラ対により記録紙の搬送を開始する。
【０００７】
しかしながら、レジストローラ対により記録紙の傾斜を修正するには、レジストローラ対を搬送ローラ対とは異なるタイミング及び期間で停止及び回転させる必要があることから、搬送ローラ対とは異なる系統のトルク伝達機構によりレジストローラ対を回転させるか、クラッチ機構によりレジストローラ対へのトルク伝達をオン／オフ制御する必要がある。
【０００８】
このため、レジストローラ対により記録紙の傾きを修正する構成の場合には、複数のトルク伝達機構又はクラッチ機構が必要になることから装置コストが高くなる。このレジストローラ対は、記録紙を画像記録部の画像形成に同期させて搬送開始する場合には不可欠であるが、記録紙を画像記録部の画像形成に同期させて搬送開始する必要がない場合や、給紙装置により原稿を給紙する場合には、他の手段により記録紙の傾きを修正できれば、不要にすることも可能である。
【０００９】
また、給紙カセットからレジストローラ対までの搬送路長が長い場合には、スキューの発生によってレジストローラ対への搬送途中に記録紙にシワが発生したり、ジャムが発生する可能性が高くなるため、搬送ローラ対による搬送開始前に記録紙の傾斜を修正できれば、記録紙にしわやジャムを発生させることなく安定した搬送が可能になる。
【００１０】
本発明の目的は、用紙装填部から送り出された用紙の搬送方向に対する傾斜を搬送ローラ対による搬送開始前に修正する低コストのスキュー修正部材を備えた給紙装置を提供することにある。
【００１１】
【課題を解決するための手段】
上記の目的を達成するため、本発明の請求項１記載の給紙装置は、用紙装填部に装填された用紙の束における最上部の用紙に圧接し、用紙の束に対して給紙方向の搬送力を作用させるピックアップ手段と、このピックアップ手段に対して前記給紙方向下流側の分離位置に設けられ、前記ピックアップ手段からの搬送力により給紙方向に移動しようとする１枚乃至複数枚の用紙からピックアップ手段が接する１枚の用紙のみを分離し、残りの用紙を前記用紙装填部に保持する分離手段と、この分離手段により分離され前記分離位置から送り出されてきた１枚の用紙を挾持し、この１枚の用紙を搬送路に沿って搬送する搬送ローラ対とを備えた給紙装置において、薄板状の弾性材料により形成され、前記搬送ローラ対による用紙の挾持位置より回転方向の上流位置で、搬送ローラ対の何れか一方のローラのローラ面に圧接するスキュー修正部材を設け、前記スキュー修正部材及び前記一方のローラが、前記分離位置から送り出されてきた用紙の先端部に、前記搬送ローラ対による搬送方向に対して直交した線上に分布する搬送抵抗を作用させ、さらに、前記一方のローラの両側方に、一方のローラの回転軸により支持された一対の円筒コロをそれぞれ配置するとともに、この一対の円筒コロに、前記スキュー修正部材をそれぞれ圧接させ、前記スキュー修正部材及び前記円筒コロが、前記分離位置から送り出されてきた用紙の先端コーナ部に、前記搬送方向に対して直交した線上に分布する搬送抵抗を作用させることを特徴とする。
【００１２】
そして、上記請求項１記載の給紙装置によれば、搬送ローラ対による用紙の挾持位置より回転方向の上流位置で、一方のローラのローラ面に圧接するスキュー修正部材を設け、このスキュー修正部材及び一方のローラが、分離位置から送り出されてきた用紙の先端部に、搬送ローラ対による搬送方向に対して直交した線上に分布する搬送抵抗を作用させることにより、用紙が搬送方向に対して傾斜している場合には、スキュー修正部材及び一方のローラの圧接部において用紙の先端が搬送方向に対して直交するように傾きが修正された後に、用紙が搬送ローラ対のニップ部に挿入されることから、搬送方向に対する傾きがない状態で用紙を搬送ローラ対により搬送させることができ、さらに、一方のローラの両側方に配置した一対の円筒コロに、スキュー修正部材をそれぞれ圧接させることにより、用紙が搬送方向に対して傾斜している場合に、スキュー修正部材及び円筒コロによって用紙の先端コーナ部に搬送抵抗を作用させ、用紙における一方の先端コーナ部を中心として用紙の先端部を回転させる際のモーメントを最大にすることができ、かつスキュー修正部材，汎用性を有するローラ及び一対の円筒コロによって用紙の先端部を回転させる際のモーメントを最大にすることができる圧接部を構成することができる。
【００１５】
また、請求項２記載の給紙装置は、請求項１記載の給紙装置において、前記スキュー修正部材が取り付けられる取付部材におけるスキュー修正部材取付部分に、用紙先端を円滑に移動させるための薄いフィルム体を設置したことを特徴とする。
【００１６】
そして、上記請求項２記載の給紙装置によれば、スキュー修正部材の取付部分が用紙の先端の搬送状態に悪影響を与えないように、フィルム体によってガイドすることができる。
【００１９】
また、請求項３記載の給紙装置は、請求項１記載の給紙装置において、前記一対の円筒コロを、それぞれ前記一方のローラの回転軸により回動自在に支持したことを特徴とする。
【００２０】
そして、上記請求項３記載の給紙装置によれば、円筒コロを一方のローラの回転軸により回動自在に支持したことにより、円筒コロの回転抵抗を任意の大きさに設定し、スキュー修正部材及び一対の円筒コロが用紙の先端コーナ部に作用させる搬送抵抗を最適な大きさに設定することが可能になる。
【００２１】
【発明の実施の形態】
以下、本発明の実施の形態について図面を参照しながら説明する。
【００２２】
図１は本発明の実施の形態による給紙装置の要部を示す側面断面図、図２は図１に本実施形態の給紙装置における給紙カセットの平面図であり、１は複写機等の画像形成装置の本体に着脱可能に装着された給紙カセット、２は給紙カセット１の底部に配置された底板であり、後端部に設けられた揺動軸２ａを中心として揺動可能に支持されている。３は給紙カセット１と底板２との間に配置されたコイルスプリングであり、底板２を上方に付勢している。４は給紙カセット１の底面に配置され、紙長方向（矢印Ｌ方向）で移動可能に支持されたエンドフェンス、５は給紙カセット１の底面に配置されたサイドフェンスであり、一対のサイドフェンス５はそれぞれ紙幅方向（矢印Ｗ方向）で移動可能に支持されている。６は揺動軸６ａを中心としてサイドフェンス５により揺動可能に支持された分離爪である。
【００２３】
エンドフェンス４及びサイドフェンス５は、それぞれ用紙装填部である給紙カセット１に装填される記録紙Ｐのサイズに対応する位置にセットされ、給紙カセット１に挿入された記録紙Ｐを給紙方向及び紙幅方向において所定の給紙位置に位置決めする。給紙位置に位置決めされた記録紙Ｐは、底板２上に載置されてコイルスプリング３により上方に付勢されるとともに、一対の分離爪６により先端の両コーナ部がそれぞれ掛止される。このことにより、底板２上に載置され上方に付勢された記録紙Ｐは、底板２の揺動方向において分離爪６により一定の位置に位置決めされる。
【００２４】
７は外周面の一部分が弦方向の平面により形成されたピックアップローラ、８は分離爪６により記録紙Ｐが分離される分離位置の直後に設けられたガイド部材、９及び１０は、それぞれ搬送ローラ１１，１３及び加圧ローラ１２によって構成された搬送ローラ対、１４は相対向するガイド板等により構成され、搬送ローラ対９により搬送されている記録紙Ｐを搬送ローラ１０のニップ部にガイドする搬送路である。１５は薄板状の弾性材料、例えばポリエチレンテレフタラート・フィルムにより形成されたスキュー修正部材であり、スキュー修正部材１５は、後端部がガイド部材８に止着されていることにより、先端部がたわみ方向で弾性変形可能に支持されており、先端部を搬送ローラ対９による記録紙Ｐの挾持位置、すなわち搬送ローラ対９のニップ部より回転方向の上流位置で搬送ローラ１１のローラ面に圧接させている。スキュー修正部材１５と搬送ローラ１１との圧接部Ｏは、搬送ローラ対９による記録紙Ｐの搬送方向に対して直交するように設けられており、搬送ローラ対９により搬送可能な最大サイズの記録紙Ｐの幅より広い幅を有している。
【００２５】
したがって、スキュー修正部材１５及び搬送ローラ１１は、その圧接部Ｏにおいてピックアップローラ７により給紙方向に送り出される記録紙Ｐに対して搬送抵抗を作用させる。ここで、スキュー修正部材１５及び搬送ローラ１１の圧接部Ｏが、搬送ローラ対９による記録紙Ｐの搬送方向に対して直交していることにより、圧接部Ｏにおける搬送抵抗は搬送ローラ対９による搬送方向に対して直交した線上に分布することになる。また、圧接部Ｏにおける搬送抵抗は、圧接部Ｏにおける圧力分布並びに搬送ローラ１１及びスキュー修正部材１５の摩擦係数により規定されるが、搬送ローラ１１及びスキュー修正部材１５の摩擦係数は一定であり、かつ圧力分布は圧接部Ｏにおいて一様であるとみなせるので、スキュー修正部材１５の搬送ローラ１１に対する圧接力に応じて変化する。
【００２６】
次に、上記のように構成された本実施形態の給紙装置における動作を説明する。図３は本実施形態の給紙装置における分離給紙動作及び搬送動作の説明図、図４は本実施形態の給紙装置における記録紙に対するスキュー修正動作の説明図である。図１に示す待機位置に保持されているピックアップローラ７は、分離給紙動作の開始とともに矢印方向に回転開始し、ローラ面７ａを給紙カセット１に装填された記録紙Ｐの束における最上部の記録紙Ｐに圧接させる。
【００２７】
このことにより、最上部の記録紙Ｐには給紙方向の力（搬送力）が作用するとともに、記録紙Ｐ間の摩擦力により最上部の記録紙Ｐの下部に積載された記録紙Ｐにも給紙方向の搬送力が伝達される。この搬送力により最上部の記録紙Ｐを含む１枚乃至複数枚の記録紙Ｐが給紙方向に移動しようとするが、記録紙Ｐの先端両コーナ部が分離爪６により掛止されていることから、最大の搬送力を受ける最上部の１枚の記録紙Ｐのみが分離爪６を乗り越えて外部に送り出され、残りの記録紙Ｐが給紙カセット１内に保持される。給紙カセット１内から外部に送り出された１枚の記録紙Ｐは、ガイド部材８によりガイドされて搬送ローラ対９のニップ部の方向に移動する。
【００２８】
ここで、スキュー修正部材１５がニップ部の回転方向の上流位置で搬送ローラ１１のローラ面に圧接していることから、ピックアップローラ７からの搬送力により移動する記録紙Ｐの先端部がスキュー修正部材１５と搬送ローラ１１との圧接部Ｏに挿入される。このことにより、記録紙Ｐの先端部には、圧接部Ｏにおいて搬送ローラ対９による搬送方向に対して直交した線上に分布する搬送抵抗が作用する。この際、記録紙Ｐが搬送方向に対して傾斜していない場合には、記録紙Ｐは、先端部の全体によりスキュー修正部材１５を弾性変形させ、圧接部Ｏにおけるスキュー修正部材１５及び搬送ローラ１１の搬送抵抗に抗して搬送ローラ対９のニップ部に移動する。
【００２９】
そして、クラッチ機構（図示省略）を介して回転力が伝達されるピックアップローラ７は、記録紙Ｐの先端部が搬送ローラ対９のニップ部に挿入されたタイミングで記録紙Ｐから離間し、図１に示す待機位置に復帰する。一方、搬送ローラ対９は、分離給紙動作の開始後、記録紙Ｐの搬送が完了するまでは、継続して搬送方向に回転するように駆動され、ニップ部に挿入された記録紙Ｐを搬送路１４に沿って搬送する。
【００３０】
また、圧接部Ｏに挿入される記録紙Ｐが搬送方向に対して傾斜している場合には、記録紙Ｐは、先ず、先端の何れか一方のコーナ部のみが圧接部Ｏに到達する。記録紙Ｐの先端部全体が一時に圧接部Ｏに到達する場合と比較し、記録紙Ｐの一方のコーナ部のみが圧接部Ｏに到達した場合には、記録紙Ｐのコーナ部が小さい力で容易に湾曲するため、図４に示すように、記録紙Ｐの一方のコーナ部のみが圧接部Ｏに到達した状態では、記録紙Ｐの一方のコーナ部がスキュー修正部材１５及び搬送ローラ１１の搬送抵抗により圧接部Ｏにおいて停止するか、又はピックアップローラ７による移動速度より低速で圧接部Ｏを通過することになるので、記録紙Ｐが湾曲することになる。本実施形態の給紙装置では、記録紙Ｐが搬送方向に対して傾斜している場合に、圧接部Ｏに到達した記録紙Ｐの湾曲を容易にするため、搬送ローラ対９が分離爪６より上方に配置されている。
【００３１】
記録紙Ｐの一方のコーナ部が圧接部Ｏに到達した後、記録紙Ｐがピックアップローラ７に給紙方向に送り出されるとともに、一方のコーナ部側の記録紙Ｐの湾曲量が他方のコーナ部側より大きくなるため、記録紙Ｐの先端部が一方のコーナ部を中心として他方のコーナ部を前進させるように回転し、記録紙Ｐの先端部全体が圧接部Ｏに到達する。したがって、記録紙Ｐが搬送方向に対して傾斜している場合には、記録紙Ｐの先端部が圧接部Ｏにおいて搬送方向に対して直交するように傾きが修正された後に、搬送ローラ対９のニップ部に挿入されることから、搬送方向に対する傾きがない状態で記録紙Ｐを搬送ローラ対９により搬送させることができる。
【００３２】
以上説明したように、本実施形態の給紙装置によれば、薄板状の弾性材料により形成され、搬送ローラ対９のニップ部より回転方向の上流位置で搬送ローラ１１のローラ面に圧接するスキュー修正部材１５を設け、このスキュー修正部材１５及び搬送ローラ１１が、ピックアップローラ７により分離位置から送り出されてきた記録紙Ｐの先端部に、搬送ローラ対９による搬送方向に対して直交した線上に分布する搬送抵抗を作用させることにより、記録紙Ｐが搬送方向に対して傾斜している場合には、記録紙Ｐの先端部が圧接部Ｏにおいて搬送方向に対して直交するように傾きが修正された後に、搬送ローラ対９のニップ部に挿入されることから、搬送方向に対する傾きがない状態で記録紙Ｐを搬送ローラ対９により搬送させることができるので、レジストローラ対を用いて記録紙Ｐの傾きを修正するものと比較して、トルク伝達機構又はクラッチ機構等の省略によって装置コストを低減することができ、かつスキューの発生によって搬送途中に記録紙Ｐにシワが発生したり、ジャムが発生することを防止できる。
【００３３】
また、本実施形態の給紙装置では、記録紙Ｐが傾斜している場合に、圧接部Ｏにおいて記録紙Ｐが回転して傾斜が修正されることを考慮し、スキュー修正部材１５と搬送ローラ１１との圧接部Ｏ全体の幅を、搬送ローラ対９により搬送可能な最大サイズの記録紙Ｐの幅より広くしている。このことにより、記録紙Ｐが搬送方向に対して傾斜している場合に、記録紙Ｐにおける一方のコーナ部を中心として記録紙Ｐの先端部を回転させる際のモーメントを最大にすることができるので、圧接部Ｏにおいて短時間で、かつ確実に記録紙Ｐの傾きを修正することができる。しかしながら、圧接部Ｏの幅を搬送可能な最大サイズの記録紙Ｐの幅より広くするには、搬送ローラ１１のローラ幅を、記録紙Ｐを搬送するために本来必要とするローラ幅よりかなり広いものにしなければならず、かつ搬送ローラ対９と他の搬送ローラ対１０と間での搬送ローラ１１，１３の互換性もなくなるため、搬送ローラ１１単体のコストが高くなる。
【００３４】
図５は本実施形態の給紙装置における圧接部の他の構成例を示す斜視図であり、２１は搬送ローラ対１０の搬送ローラ１３と等しいローラ幅を有する搬送ローラ、２２は搬送ローラ２１の両側方に配置された円筒コロであり、これら一対の円筒コロ２２は、搬送ローラ２１の回転軸２１ａによりそれぞれ回動自在に支持されている。ここでは、スキュー修正部材１５が、搬送ローラ２１のローラ面及び一対の円筒コロ２２の外周面にそれぞれ圧接しており、スキュー修正部材１５及び円筒コロ２２が、分離位置から送り出されてきた記録紙Ｐの先端コーナ部に、搬送方向に対して直交した線上に分布する搬送抵抗を作用させる。
【００３５】
したがって、記録紙Ｐが搬送方向に対して傾斜している場合には、スキュー修正部材１５及び搬送ローラ１１により記録紙Ｐの傾きを修正する場合と同様に、スキュー修正部材１５，搬送ローラ２１及び円筒コロ２２により記録紙Ｐの先端が搬送方向に対して直交するように傾きが修正された後に、搬送ローラ対９のニップ部に挿入される。
【００３６】
図５に示す圧接部の構成によれば、搬送ローラ対９の搬送ローラ２１の両側方に一対の円筒コロ２２をそれぞれ配置するとともに、この一対の円筒コロ２２にスキュー修正部材１５をそれぞれ圧接させることにより、記録紙Ｐが搬送方向に対して傾斜している場合に、スキュー修正部材１５及び円筒コロ２２によって記録紙Ｐの先端コーナ部に搬送抵抗を作用させ、記録紙Ｐにおける一方の先端コーナ部を中心として記録紙Ｐの先端部を回転させる際のモーメントを効率よく増大することができ、かつスキュー修正部材１５，搬送ローラ１３と等しいローラ幅を有する搬送ローラ２１及び一対の円筒コロ２２によって記録紙Ｐの先端部を回転させる際のモーメントを効率よく増大することができる圧接部を構成することができるので、搬送ローラ対９の搬送ローラ１１のローラ幅を搬送可能な最大サイズの記録紙Ｐより広くした場合と比較し、記録紙Ｐの傾きを修正する能力をほとんど低下させることなく、搬送ローラ１３，２１の共通化又は搬送ローラ２１自体の低コスト化によって装置コストを低減することが可能になる。
【００３７】
さらに、円筒コロ２２を搬送ローラ２１の回転軸２１ａにより回動自在に支持したことにより、円筒コロ２２の回転抵抗を任意の大きさに設定し、スキュー修正部材１５及び円筒コロ２２が記録紙Ｐの先端コーナ部に作用させる搬送抵抗を最適な大きさに設定することが可能になるので、記録紙Ｐの傾きを確実に修正することが可能になる。
【００３８】
図６は本実施形態の給紙装置におけるスキュー修正部材回りの他の構成例を示す説明図、図７は図６のスキュー修正部材回りを示す斜視図であり、図３，図５に示す構成において、スキュー修正部材１５が上端部から延出するように取り付けられるガイド部材８には、スキュー修正部材１５の取付部分に段差Ｓが生じている。この段差Ｓの存在が記録紙Ｐの先端における搬送状態に影響（搬送状態のばらつき）を与え、時として、搬送方向に対して直交する方向における記録紙Ｐの先端が傾いてしまうおそれがある。
【００３９】
そこで本例では、ガイド部材８からスキュー修正部材１５に渡り、かつ前記段差Ｓを覆うように、ポリエチレンテレフタラート・フィルムによって形成された薄いフィルム体２５を間隔をとって複数枚設置している。このフィルム体２５が存在することにより、フィルム体２５がガイドとなって、記録紙Ｐの先端に対する前記段差Ｓの影響をなくすことができ、記録紙Ｐの先端がスムーズに搬送されるため、記録紙Ｐの先端における搬送状態のばらつきの発生（記録紙Ｐの傾き）を抑制することができる。
【００４０】
【発明の効果】
以上説明したように、上記請求項１記載の給紙装置によれば、搬送ローラ対による用紙の挾持位置より回転方向の上流位置で、一方のローラのローラ面に圧接するスキュー修正部材を設け、このスキュー修正部材及び一方のローラが、分離位置から送り出されてきた用紙の先端部に、搬送ローラ対による搬送方向に対して直交した線上に分布する搬送抵抗を作用させることにより、用紙が搬送方向に対して傾斜している場合には、スキュー修正部材及び一方のローラの圧接部において用紙の先端が搬送方向に対して直交するように傾きが修正された後に、用紙が搬送ローラ対のニップ部に挿入されることから、搬送方向に対する傾きがない状態で用紙を搬送ローラ対により搬送させることができるので、レジストローラ対を用いて用紙の傾きを修正するものと比較して、トルク伝達機構又はクラッチ機構等の省略によって装置コストを低減することができ、かつスキューの発生によって搬送途中に用紙にシワが発生したり、ジャムが発生することを防止することができる。
さらに、一方のローラの両側方に一対の円筒コロをそれぞれ配置するとともに、この一対の円筒コロにスキュー修正部材をそれぞれ圧接させることにより、用紙が搬送方向に対して傾斜している場合に、スキュー修正部材及び円筒コロによって用紙の先端コーナ部に搬送抵抗を作用させ、用紙における一方の先端コーナ部を中心として用紙の先端部を回転させる際のモーメントを効率よく増大することができ、かつスキュー修正部材，他のローラと共通化が可能な一方のローラ及び一対の円筒コロによって用紙の先端部を回転させる際のモーメントを効率よく増大することができる圧接部を構成することができるので、スキュー修正部材が圧接する一方のローラのローラ幅を搬送可能な最大サイズの用紙より広くした場合と比較し、用紙の傾きを修正する能力をほとんど低下させることなく、装置コストを低減することが可能になる。
【００４２】
また、請求項２記載の給紙装置によれば、スキュー修正部材の取付部分における段差等が用紙の先端の搬送状態に悪影響を与えないように、用紙先端をフィルム体によってガイドすることによって、用紙Ｐの先端がスムーズに搬送されるため、用紙Ｐの先端における搬送状態のばらつきの発生を抑制することができて、さらに確実に用紙の傾きを修正することができる。
【００４４】
また、請求項３記載の給紙装置によれば、円筒コロを一方のローラの回転軸により回動自在に支持したことにより、円筒コロの回転抵抗を任意の大きさに設定し、スキュー修正部材及び一対の円筒コロが用紙の先端コーナ部に作用させる搬送抵抗を最適な大きさに設定することが可能になるので、用紙の傾きを確実に修正することが可能になる。
【図面の簡単な説明】
【図１】本発明の実施の形態による給紙装置の要部を示す側面断面図
【図２】本発明の実施の形態の給紙装置における給紙カセットの平面図
【図３】本発明の実施の形態の給紙装置における分離給紙動作及び搬送動作の説明図
【図４】本発明の実施の形態の給紙装置における記録紙に対するスキュー修正動作の説明図
【図５】本発明の実施の形態の給紙装置における圧接部の他の構成例を示す斜視図
【図６】本発明の実施の形態の給紙装置におけるスキュー修正部材回りの他の構成例を示す説明図
【図７】図６のスキュー修正部材回りを示す斜視図
【符号の説明】
１  給紙カセット
２  底板
３  コイルスプリング
４  エンドフェンス
５  サイドフェンス
６  分離爪
７  ピックアップローラ
８  ガイド部材
９，１０  搬送ローラ対
１１，１３，２１  搬送ローラ
１２  加圧ローラ
１４  搬送路
１５  スキュー修正部材
２１ａ  回転軸
２２  円筒コロ
２５  薄いフィルム体
Ｐ  記録紙
Ｏ  圧接部
Ｓ  段差
【図１】
0003686518.tif 000002
【図２】
0003686518.tif 000003
【図３】
0003686518.tif 000004
【図４】
0003686518.tif 000005
【図５】
0003686518.tif 000006
【図６】
0003686518.tif 000007
【図７】
0003686518.tif 000008